(57)【要約】【課題】冷媒配管に対して位置を定める場合であっても水の滞留が生じにくい電磁誘導加熱ユニットおよび空気調和装置を提供する。【解決手段】ＳＵＳ管Ｆ２が外表面を構成している冷媒配管の加熱を行う電磁誘導加熱ユニットであって、コイル６８および第１六角ナット６１を備えている。コイル６８は、冷媒配管の回りを取り巻いている。第１六角ナット６１は、コイル６８と冷媒配管との相対位置関係を定める。第１六角ナット６１と冷媒配管との間には、第１六角ナット６１に対して冷媒配管が伸びている一方側から、第１六角ナット６１に対して一方側とは反対側である他方側までの間、連続している連続空間がある。【選択図】図３２
2010071536.tif 000002
【特許請求の範囲】
【請求項１】
冷媒配管（Ｆ）および／または前記冷媒配管（Ｆ）中を流れる冷媒と熱的接触をする部材を加熱する電磁誘導加熱ユニット（６）であって、
前記冷媒配管（Ｆ）の近傍に配置されたコイル（６８）と、
前記コイル（６８）と前記冷媒配管（Ｆ）との相対位置関係を定める位置決め部（６１、６２、６３、１６１、１６２、１６３、２６１、２６３、３６１、３６２、３６３、４６１、４６２、４６３、４６９、５６１、５６２、５６３、６６１、６６２、６６３、７６１、７６３）と、
を備え、
前記位置決め部と前記冷媒配管との間には、前記位置決め部に対して前記冷媒配管が伸びている一方側から、前記位置決め部に対して前記一方側とは反対側である他方側までの間、連続している連続空間（６２ｓ、１６２ｓ、２６２ｓ、３６２ｓ、４６２ｓ、５６２ｓ、６６２ｓ、７６３ｓ、Ｆｖｓ）がある、
電磁誘導加熱ユニット（６）。
【請求項２】
前記コイル（６８）は、前記冷媒配管（Ｆ）の少なくとも一部の回りを取り巻いている、
請求項１に記載の電磁誘導加熱ユニット（６）。
【請求項３】
前記位置決め部は、前記冷媒配管（Ｆ）側に力が作用していることで、前記コイル（６８）と前記冷媒配管（Ｆ）との相対位置関係を定めている、
請求項１または２に記載の電磁誘導加熱ユニット（６）。
【請求項４】
前記位置決め部は、前記冷媒配管（Ｆ）側に力が作用する部分が面形状となるように形成されている、
請求項３に記載の電磁誘導加熱ユニット（６）。
【請求項５】
前記位置決め部のうち、前記冷媒配管（Ｆ）側に力が作用している部分（６２、１６２、４６２、５６２、７６３ｘ）は、前記冷媒配管（Ｆ）側の回りを一周するようには設けられていない、
請求項３または４に記載の電磁誘導加熱ユニット（６）。
【請求項６】
前記位置決め部のうち、前記冷媒配管（Ｆ）側に力が作用している部分（６６２）はつらなり続くように形成されており、
前記つらなり続いている部分の端部である一端側と、前記一端側以外の前記つらなり続いている部分の端部である他端側とは、つながっていない、
請求項３または４に記載の電磁誘導加熱ユニット（６）。
【請求項７】
前記冷媒配管（２００Ｆ）のうち、前記位置決め部からの力の作用を受ける部分（Ｆｓ）は、前記冷媒配管（２００Ｆ）側の回りを一周していない、
請求項３または４に記載の電磁誘導加熱ユニット（６）。
【請求項８】
前記冷媒配管（Ｆ）と前記位置決め部（７６１、７６３）との間の少なくとも一部に位置している介在部（７６３ｘ）をさらに備え、
前記位置決め部（７６１、７６３）は、前記介在部（７６３ｘ）を介して前記冷媒配管（Ｆ）との相対位置が定まっており、
前記連続空間（７６３ｓ）は、
前記介在部（７６３ｘ）と前記冷媒配管（Ｆ）と間において、前記冷媒配管（Ｆ）が延びている向きの一方側から他方側まで連続して設けられている、
請求項１から７のいずれか１項に記載の電磁誘導加熱ユニット（６）。
【請求項９】
前記冷媒配管（Ｆ）と前記位置決め部（４６１、４６２、４６３）との間の少なくとも一部に位置している介在部（４６９）をさらに備え、
前記位置決め部（４６１、４６２、４６３）は、前記介在部（４６９）を介して前記冷媒配管（Ｆ）との相対位置が定まっており、
前記連続空間（４６２ｓ）は、
前記介在部（４６９）と前記位置決め部（４６１、４６２、４６３）との間において、前記冷媒配管（Ｆ）が延びている向きの一方側から他方側まで連続して設けられている、
請求項１から７のいずれか１項に記載の電磁誘導加熱ユニット（６）。
【請求項１０】
前記連続空間の前記冷媒配管（Ｆ）側である内側から外側までの距離は、１ｍｍ以上である、
請求項１から９のいずれか１項に記載の電磁誘導加熱ユニット（６）。
【請求項１１】
前記位置決め部の前記冷媒配管（Ｆ）側である内側から前記内側とは反対側の外側までの厚みが５ｍｍ以上である、
請求項１から１０のいずれか１項に記載の電磁誘導加熱ユニット（６）。
【請求項１２】
前記位置決め部は、前記冷媒配管（Ｆ）を回りから囲む形状を有しており、
前記位置決め部は、前記冷媒配管（Ｆ）が伸びている一方側の端部であって前記冷媒配管（Ｆ）側である内側部分の少なくとも一部が、前記内側に近づくにつれて前記一方側とは反対側である他方側に向かうように傾斜した形状（６１ａ）を有している、
請求項１から１１のいずれか１項に記載の電磁誘導加熱ユニット（６）。
【請求項１３】
前記位置決め部は、
内径が前記冷媒配管（Ｆ）の外径より大きく、ネジ溝が設けられた第１部材（２６１）と、
前記ネジ溝に作用して螺着可能であって、前記螺着した状態で前記冷媒配管（Ｆ）との相対位置を定める第２部材（２６３）と、
を有している、
請求項１から１２のいずれか１項に記載の電磁誘導加熱ユニット（６）。
【請求項１４】
前記位置決め部は、前記第１部材（６１）と前記第２部材（６３）とが螺着するにしたがって、弾性変形することにより前記冷媒配管（Ｆ）側に作用する力が増大する第３部材（６２）をさらに有している、
請求項１３に記載の電磁誘導加熱ユニット（６）。
【請求項１５】
前記位置決め部は、内径が前記冷媒配管（Ｆ）の外径よりも大きい第１固定部材（６１）と、径方向において前記第１固定部材の外縁よりも大きな外縁を有している第２固定部材（６３）と、を有し、
前記第２固定部材（６３）は、前記冷媒配管（Ｆ）の伸びる方向に貫通した開口（６３ｂ）が形成されている、
請求項１から１４のいずれか１項に記載の電磁誘導加熱ユニット（６）。
【請求項１６】
前記冷媒配管（Ｆ）と前記コイル（６８）との間に空間を確保しつつ、前記コイル（６８）を保持している中間部（６５）をさらに備え、
前記冷媒配管（Ｆ）の伸びる方向から見た場合に、前記第２固定部材の前記開口（６３ｂ）は、前記中間部（６５）と前記冷媒配管（Ｆ）との間に位置している、
請求項１５に記載の電磁誘導加熱ユニット（６）。
【請求項１７】
前記位置決め部（６１、６２、６３、６４、６６）は、前記冷媒配管（Ｆ）が伸びている一方側と、前記一方側とは反対側である他方側と、の少なくとも２箇所で、前記冷媒配管（Ｆ）側に力が作用している、
請求項１から１６のいずれか１項に記載の電磁誘導加熱ユニット（６）。
【請求項１８】
前記位置決め部（６１、６３）は、前記冷媒配管（Ｆ）の外部を一周しつつ輪になっている部分を有している、
請求項１から１７のいずれか１項に記載の電磁誘導加熱ユニット（６）。
【請求項１９】
請求項１から１８のいずれか１項に記載の電磁誘導加熱ユニット（６）を備える空気調和装置（１）であって、
前記空気調和装置（１）の設置状態において、前記冷媒配管（Ｆ）が略鉛直方向に延びている、
空気調和装置（１）。
【請求項２０】
請求項１から１８のいずれか１項に記載の電磁誘導加熱ユニット（６）と、
圧縮機構（２１）、冷媒冷却器（４１）、膨張機構（２４）および冷媒加熱器（２３）を有しており、前記冷媒配管（Ｆ）に冷媒を流す部分を含む冷凍サイクル（１０）と、
を備える空気調和装置（１）であって、
前記電磁誘導加熱ユニット（６）は、前記圧縮機構（２１）の吸入側に伸びている吸入側の冷媒配管（Ｆ）に設けられている、
空気調和装置（１）。
【発明の詳細な説明】
【技術分野】
【０００１】
本発明は、電磁誘導加熱ユニットおよび空気調和装置に関する。
【背景技術】
【０００２】
冷凍サイクルには、冷媒の熱を放出させる放熱器や、冷媒に対して熱を与える加熱器等が備えられている。冷凍サイクルを循環する冷媒は、例えば、冷房運転サイクルにおいては室内の空気との間で熱交換を行って熱を得ており、暖房運転サイクルにおいては屋外の空気との間で熱交換を行って熱を得ている。
【０００３】
以下に示す特許文献１に記載の空気調和機の冷凍サイクルによると、上述のような室内の空気や屋外の空気から熱を得るだけでなく、別個に冷媒加熱装置によって冷媒が熱を得るシステムが提案されている。この冷媒加熱装置では、冷媒の流れる熱交換器をバーナで加熱させることにより、熱交換器内部を流れる冷媒に熱を与えている。このように、この空気調和機では冷媒加熱装置を採用しているため、冷媒が熱を必要とする場合において、室内や屋外の気温等の制約を受けることなく、冷媒を加熱することを可能にしている。
【特許文献１】特開平８−２１０７２０号公報
【発明の開示】
【発明が解決しようとする課題】
【０００４】
上述のような冷媒加熱装置として、バーナ等の火を用いる方式の加熱ではなく、電気的な方式として電磁誘導加熱方式を採用することもできる。例えば、磁性体材料を含有する冷媒配管の周りに電磁誘導コイルを巻き、この電磁誘導加熱コイルに対して電流を流すことで生じた磁束に起因して冷媒配管を発熱させることができる。そして、この冷媒配管における発熱を用いて、冷媒を加熱することができる。
【０００５】
しかし、冷媒配管の目的の位置を加熱することができるように冷媒加熱ユニットの位置を定める場合に、冷媒加熱ユニットが冷媒配管の周囲を覆うように接触して配置される場合がある。冷媒配管表面に水が存在する場合には、この水が、冷媒加熱ユニットと冷媒配管とが接触する部分で滞留してしまうおそれがある。
【０００６】
本発明は上述した点に鑑みてなされたものであり、本発明の課題は、冷媒配管に対して位置を定める場合であっても水の滞留が生じにくい電磁誘導加熱ユニットおよび空気調和装置を提供することにある。
【課題を解決するための手段】
【０００７】
第１発明の電磁誘導加熱ユニットは、冷媒配管および／または冷媒配管中を流れる冷媒と熱的接触をする部材を加熱する電磁誘導加熱ユニットであって、コイルと位置決め部とを備えている。コイルは、冷媒配管の近傍に配置されている。位置決め部は、コイルと冷媒配管との相対位置関係を定める。位置決め部と冷媒配管との間には、位置決め部に対して冷媒配管が伸びている一方側から、位置決め部に対して一方側とは反対側である他方側までの間、連続している連続空間がある。ここで、「冷媒配管」には、内側表面を構成している部分、外側表面を構成している部分および内側表面と外側表面との間に位置している部分のいずれについても含まれるものとする。すなわち、電磁誘導によって渦電流が発生する部材が、冷媒配管の外表面を構成していてもよく、冷媒配管の内側表面を構成していてもよく、冷媒配管の外表面と内側表面との間に位置していてもよい。また、「冷媒配管中を流れる冷媒と熱的接触をする部材」には、例えば、配管内の冷媒通路上に配置されて冷媒に直接接触する部材や、冷媒配管の外側に配置されて冷媒配管を加熱する部材等が含まれる。また、「冷媒配管」および「冷媒配管中を流れる冷媒と熱的接触をする部材」は、少なくとも１部に磁性体を含有しているものもしくはその合金であることが好ましい。なお、消費電力に対する効率的な加熱を行う観点からは、磁性体は強磁性体であることが好ましい。
【０００８】
この電磁誘導加熱ユニットでは、位置決め部によって、コイルの冷媒配管に対する位置が決められる場合において、冷媒配管の位置決め部近傍における表面に水が生じることがあっても、連続空間を通じてこの水を移動させることができる。これにより、水の滞留を抑えることができる。
【０００９】
第２発明の電磁誘導加熱ユニットは、第１発明の電磁誘導加熱ユニットにおいて、コイルは、冷媒配管の少なくとも一部の回りを取り巻いている。
【００１０】
この電磁誘導加熱ユニットでは、コイルに電流を流すことで生じる磁束の一部を、冷媒配管が伸びている方向に沿わせることができる。このため、冷媒配管に含まれている磁性体の長手方向と冷媒配管の軸方向とが略同一である場合に、電磁誘導による加熱効率を向上させることができる。
【００１１】
第３発明の電磁誘導加熱ユニットは、第１発明または第２発明の電磁誘導加熱ユニットにおいて、位置決め部は、冷媒配管側に力が作用していることで、コイルと冷媒配管との相対位置関係を定めている。
【００１２】
この電磁誘導加熱ユニットでは、コイルと冷媒配管との相対位置を定めるために、位置決め部と冷媒配管とが互いに力を作用させ合っていることで、固定をより強固にしている場合であっても、互いに力を作用させていない部分において連続空間が確保されている。これにより、固定を強固にしつつ、水の滞留を抑えることが可能になる。
【００１３】
第４発明の電磁誘導加熱ユニットは、第３発明の電磁誘導加熱ユニットにおいて、位置決め部は、冷媒配管側に力が作用する部分が面形状となるように形成されている。
【００１４】
この電磁誘導加熱ユニットでは、位置決め部のうち、冷媒配管側に力が作用する部分が面形状に形成されているため、位置決め部は冷媒配管側に対して力を作用させることが可能な面積を広く確保することができる。このため、コイルと冷媒配管との相対位置をより強固に定めることが可能になる。
【００１５】
第５発明の電磁誘導加熱ユニットは、第３発明または第４発明の電磁誘導加熱ユニットにおいて、位置決め部のうち、冷媒配管側に力が作用している部分は、冷媒配管側の回りを一周するようには設けられていない。
【００１６】
この電磁誘導加熱ユニットでは、位置決め部が存在している部分によって冷媒配管との相対位置を定めるための力を作用させることができる。そして、位置決め部のうち冷媒配管の回りに存在している部分のうち、途切れている部分によって、連続空間を確保することができる。これにより、位置決めのための力の作用と連続空間の確保とを確実に両立させることができる。
【００１７】
第６発明の電磁誘導加熱ユニットは、第３発明または第４発明の電磁誘導加熱ユニットにおいて、位置決め部のうち、冷媒配管側に力が作用している部分はつらなり続くように形成されている。つらなり続いている部分の端部である一端側と、一端側以外のつらなり続いている部分の端部である他端側とは、つながっていない。
【００１８】
この電磁誘導加熱ユニットでは、位置決め部がある部分によって冷媒配管との相対位置を定めるための力を作用させることができる。そして、位置決め部のうちの周方向における連続性が途切れている部分によって連続空間を確保することができる。これにより、位置決めのための力の作用と連続空間の確保とを確実に両立させることができる。
【００１９】
第７発明の電磁誘導加熱ユニットは、第３発明または第４発明の電磁誘導加熱ユニットにおいて、冷媒配管のうち、位置決め部からの力の作用を受ける部分は、冷媒配管側の回りを一周していない。
【００２０】
この電磁誘導加熱ユニットでは、位置決め部がある部分によって冷媒配管との相対位置を定めるための力を作用させることができる。そして、冷媒配管のうち位置決め部からの力の作用を受けていない部分によって連続空間を確保することができる。これにより、位置決めのための力の作用と連続空間の確保とを確実に両立させることができる。
【００２１】
第８発明の電磁誘導加熱ユニットは、第１発明から第７発明のいずれかの電磁誘導加熱ユニットにおいて、冷媒配管と位置決め部との間の少なくとも一部に位置している介在部をさらに備えている。位置決め部は、介在部を介して冷媒配管との相対位置が定まっている。連続空間は、介在部と冷媒配管と間において、冷媒配管が延びている向きの一方側から他方側まで連続して設けられている。なお、介在部は、１つだけであってもよいし、径方向に重なるように複数設けられていてもよい。
【００２２】
この電磁誘導加熱ユニットでは、介在部を設けることで冷媒配管の外側と位置決め部の内側との距離に合うように介在部の大きさや形状を選択することができるようになる。例えば、種々のサイズおよび形状の介在部が用意されている場合には、これらの介在部の中から適当なものを選択して使用することで、種々のサイズの冷媒配管に対して電磁誘導加熱ユニットを固定することができる。
【００２３】
第９発明の電磁誘導加熱ユニットは、第１発明から第７発明のいずれかの電磁誘導加熱ユニットにおいて、冷媒配管と位置決め部との間の少なくとも一部に位置している介在部をさらに備えている。位置決め部は、介在部を介して冷媒配管との相対位置が定まっている。連続空間は、介在部と位置決め部との間において、冷媒配管が延びている向きの一方側から他方側まで連続して設けられている。なお、介在部は、１つだけであってもよいし、径方向に重なるように複数設けられていてもよい。
【００２４】
この電磁誘導加熱ユニットでは、介在部を設けることで冷媒配管の外側と位置決め部の内側との距離に合うように介在部の大きさや形状を選択することができるようになる。例えば、種々のサイズおよび形状の介在部が用意されている場合には、これらの介在部の中から適当なものを選択して使用することで、種々のサイズの冷媒配管に対して電磁誘導加熱ユニットを固定することができる。
【００２５】
第１０発明の電磁誘導加熱ユニットは、第１発明から第９発明のいずれかの電磁誘導加熱ユニットにおいて、連続空間の冷媒配管側である内側から外側までの距離は、１ｍｍ以上である。
【００２６】
仮に、冷媒配管とその周囲に存在する部材等との間の隙間が１ｍｍ以上に設計してある場合には、そこに水が滞留したままで氷になった際に、冷媒配管および周囲の部材等に大きな負担がかかり、破損してしまうおそれがある。
【００２７】
このように冷媒配管とその周囲に存在する部材等との間の隙間が１ｍｍ以上に設計してある場合であっても、この電磁誘導加熱ユニットには連続空間が形成されているために、排水を促すことができ、機器の信頼性を向上させることが可能になる。
【００２８】
第１１発明の電磁誘導加熱ユニットは、第１発明から第１０発明のいずれかの電磁誘導加熱ユニットにおいて、位置決め部の冷媒配管側である内側から内側とは反対側の外側までの厚みが５ｍｍ以上である。
【００２９】
仮に、位置決め部の内側から外側までの幅が５ｍｍ以上である場合には、そこに水が滞留したままで氷になってしまい、さらにその氷が成長してしまうおそれがある。
【００３０】
このように冷媒配管とその周囲に存在する部材等との間の隙間が１ｍｍ以上に設計してある場合であっても、この電磁誘導加熱ユニットには連続空間が形成されているために、機器の信頼性を向上させることが可能になる。
【００３１】
第１２発明の電磁誘導加熱ユニットは、第１発明から第１１発明のいずれかの電磁誘導加熱ユニットにおいて、位置決め部は、冷媒配管を回りから囲む形状を有している。位置決め部は、冷媒配管が伸びている一方側の端部であって冷媒配管側である内側部分の少なくとも一部が、内側に近づくにつれて一方側とは反対側である他方側に向かうように傾斜した形状を有している。
【００３２】
この電磁誘導加熱ユニットでは、冷媒配管の外表面において生じた水を、連続空間に導くことができるようになる。
【００３３】
第１３発明の電磁誘導加熱ユニットは、第１発明から第１２発明のいずれかの電磁誘導加熱ユニットにおいて、位置決め部は、内径が冷媒配管の外径より大きく、ネジ溝が設けられた第１部材と、ネジ溝に作用して螺着可能であって、螺着した状態で冷媒配管との相対位置を定める第２部材と、を有している。
【００３４】
この電磁誘導加熱ユニットでは、冷媒配管と位置決め部との相対位置の決定を、螺着作業によって容易に行うことができる。
【００３５】
第１４発明の電磁誘導加熱ユニットは、第１３発明の電磁誘導加熱ユニットにおいて、位置決め部は、第１部材と第２部材とが螺着するにしたがって、弾性変形することにより冷媒配管側に作用する力が増大する第３部材をさらに有している。
【００３６】
この電磁誘導加熱ユニットでは、螺着させる程度に応じて位置決めの強さを調節することができる。また、第３部材を用いて固定することで、冷媒配管に電磁誘導加熱ユニットが固定された状態を確実に維持させることができるようになる。
【００３７】
第１５発明の電磁誘導加熱ユニットは、第１発明から第１４発明のいずれかの電磁誘導加熱ユニットにおいて、位置決め部は、内径が冷媒配管の外径よりも大きい第１固定部材と、径方向において第１固定部材の外縁よりも大きな外縁を有している第２固定部材と、を有している。第２固定部材は、冷媒配管の伸びる方向に貫通した開口が形成されている。
【００３８】
この電磁誘導加熱ユニットでは、冷媒配管において生じた水が、冷媒配管から離れて第２固定部材の上に移動してきた場合であっても、第２固定部材に設けられた開口を介して、水をさらに移動させることができる。これにより、第２固定部材の上で水が滞留して氷になってしまうことを抑えることができる。
【００３９】
第１６発明の電磁誘導加熱ユニットは、第１５発明の電磁誘導加熱ユニットにおいて、冷媒配管とコイルとの間に空間を確保しつつ、コイルを保持している中間部をさらに備えている。冷媒配管の伸びる方向から見た場合に、第２固定部材の開口は、中間部と冷媒配管との間に位置している。
【００４０】
この電磁誘導加熱ユニットでは、第１固定部材よりも外側に水が流れて行くことがあっても、第２固定部材の開口を介して、水を移動させることができる。そして、第２固定材の開口を介して移動する水は、中間部と冷媒配管との間を通じて排水される。これにより、第１固定部材よりも外側に水が流れていくことがあっても、確実に排水させることができる。また、コイルに水が伝わることを抑制することが可能になる。
【００４１】
第１７発明の電磁誘導加熱ユニットは、第１発明から第１６発明のいずれかの電磁誘導加熱ユニットにおいて、位置決め部は、冷媒配管が伸びている一方側と、一方側とは反対側である他方側と、の少なくとも２箇所で、冷媒配管側に力が作用している。
【００４２】
この電磁誘導加熱ユニットでは、複数箇所での位置決めを行うことができるため、位置決め部と冷媒配管との相対位置をより確実に定めることができるようになる。
【００４３】
第１８発明の電磁誘導加熱ユニットは、第１発明から第１７発明のいずれかの電磁誘導加熱ユニットにおいて、位置決め部は、冷媒配管の外部を一周しつつ輪になっている部分を有している。
【００４４】
この電磁誘導加熱ユニットでは、一周して輪になっている部分を有しているため、位置決め部は、冷媒配管に対する位置決めをより強固に行うことができるようになる。
【００４５】
第１９発明の空気調和装置は、第１発明から第１８発明のいずれか１つの電磁誘導加熱ユニットを備える空気調和装置であって、空気調和装置の設置状態において、冷媒配管が略鉛直方向に延びている。
【００４６】
この空気調和装置では、冷媒配管が略鉛直方向に設けられている場合には、電磁誘導加熱ユニットの上方において水が生じ、冷媒配管と位置決め部との間に水が流れ込むことがある。このように、冷媒配管と位置決め部との間に水が流れ込んだとしても、連続空間を通じてこの水を移動させることができる。これにより、冷媒配管が略鉛直方向に伸びて配置されている場合であっても、水の滞留を抑えることができる。
【００４７】
第２０発明の空気調和装置は、第１発明から第１８発明のいずれか１つの電磁誘導加熱ユニットと、圧縮機構、冷媒冷却器、膨張機構および冷媒加熱器を有しており冷媒配管に冷媒を流す部分を含む冷凍サイクルと、を備える空気調和装置であって、電磁誘導加熱ユニットは、圧縮機構の吸入側に伸びている吸入側の冷媒配管に設けられている。
【００４８】
この空気調和装置では、圧縮機構の吸入側にのびる冷媒配管の温度が周囲の温度よりもさがることで、外表面が着霜する場合であっても、電磁誘導加熱を開始させることによって氷を解凍させることができる。これによって水が生じることがあっても、連続空間を通じてこの水を移動させることができ、水の滞留を抑えることができる。
【発明の効果】
【００４９】
第１発明の電磁誘導加熱ユニットでは、水の滞留を抑えることができる。
【００５０】
第２発明の電磁誘導加熱ユニットでは、冷媒配管に含まれている磁性体の長手方向と冷媒配管の軸方向とが略同一である場合に、電磁誘導による加熱効率を向上させることができる。
【００５１】
第３発明の電磁誘導加熱ユニットでは、固定を強固にしつつ、水の滞留を抑えることが可能になる。
【００５２】
第４発明の電磁誘導加熱ユニットでは、コイルと冷媒配管との相対位置をより強固に定めることが可能になる。
【００５３】
第５発明の電磁誘導加熱ユニットでは、位置決めのための力の作用と連続空間の確保とを確実に両立させることができる。
【００５４】
第６発明の電磁誘導加熱ユニットでは、位置決めのための力の作用と連続空間の確保とを確実に両立させることができる。
【００５５】
第７発明の電磁誘導加熱ユニットでは、位置決めのための力の作用と連続空間の確保とを確実に両立させることができる。
【００５６】
第８発明の電磁誘導加熱ユニットでは、介在部の大きさや形状を選択することができるようになる。
【００５７】
第９発明の電磁誘導加熱ユニットでは、介在部の大きさや形状を選択することができるようになる。
【００５８】
第１０発明の電磁誘導加熱ユニットでは、機器の信頼性を向上させることが可能になる。
【００５９】
第１１発明の電磁誘導加熱ユニットでは、機器の信頼性を向上させることが可能になる。
【００６０】
第１２発明の電磁誘導加熱ユニットでは、冷媒配管の外表面において生じた水を、連続空間に導くことができるようになる。
【００６１】
第１３発明の電磁誘導加熱ユニットでは、螺着作業によって容易に固定を行うことができる。
【００６２】
第１４発明の電磁誘導加熱ユニットでは、螺着させる程度に応じて位置決めの強さを調節することができ、冷媒配管に電磁誘導加熱ユニットが固定された状態を確実に維持させることができるようになる。
【００６３】
第１５発明の電磁誘導加熱ユニットでは、第２固定部材の上で水が滞留して氷になってしまうことを抑えることができる。
【００６４】
第１６発明の電磁誘導加熱ユニットでは、第１固定部材よりも外側に水が流れていくことがあっても、確実に排水させることができる。
【００６５】
第１７発明の電磁誘導加熱ユニットでは、位置決め部と冷媒配管との相対位置をより確実に定めることができるようになる。
【００６６】
第１８発明の電磁誘導加熱ユニットでは、冷媒配管に対する位置決めをより強固に行うことができるようになる。
【００６７】
第１９発明の空気調和装置では、冷媒配管が略鉛直方向に伸びて配置されている場合であっても、水の滞留を抑えることができる。
【００６８】
第２０発明の空気調和装置では、圧縮機構の吸入側にのびる冷媒配管の温度が周囲の温度よりもさがることで、外表面が着霜する場合であっても、解凍によって生じる水を排水させることができる。
【発明を実施するための最良の形態】
【００６９】
以下、図面を参照しつつ、本発明の一実施形態における電磁誘導加熱ユニット６およびこれを備えた空気調和装置１について、例に挙げて説明する。
【００７０】
＜１−１＞空気調和装置１
図１に、空気調和装置１の冷媒回路１０を示す冷媒回路図を示す。
【００７１】
空気調和装置１は、熱源側装置としての室外機２と、利用側装置としての室内機４とが冷媒配管によって接続されて、利用側装置が配置された空間の空気調和を行うものであって、圧縮機２１、四路切換弁２２、室外熱交換器２３、室外電動膨張弁２４、アキュームレータ２５、室外ファン２６、室内熱交換器４１、室内ファン４２、ホットガスバイパス弁２７、キャピラリーチューブ２８および電磁誘導加熱ユニット６等を備えている。
【００７２】
圧縮機２１、四路切換弁２２、室外熱交換器２３、室外電動膨張弁２４、アキュームレータ２５、室外ファン２６、ホットガスバイパス弁、キャピラリーチューブ２８および電磁誘導加熱ユニット６は、室外機２内に収容されている。室内熱交換器４１および室内ファン４２は、室内機４内に収容されている。
【００７３】
冷媒回路１０は、吐出管Ａ、室内側ガス管Ｂ、室内側液管Ｃ、室外側液管Ｄ、室外側ガス管Ｅ、アキューム管Ｆ、吸入管Ｇ、ホットガスバイパス回路Ｈ、分岐配管Ｋおよび合流配管Ｊを有している。室内側ガス管Ｂおよび室外側ガス管Ｅは、ガス状態の冷媒が多く通過するものではあるが、通過する冷媒をガス冷媒に限定しているものではない。室内側液管Ｃおよび室外側液管Ｄは、液状態の冷媒が多く通過するものではあるが、通過する冷媒を液冷媒に限定しているものではない。
【００７４】
吐出管Ａは、圧縮機２１と四路切換弁２２とを接続している。
【００７５】
室内側ガス管Ｂは、四路切換弁２２と室内熱交換器４１とを接続している。
【００７６】
室内側液管Ｃは、室内熱交換器４１と室外電動膨張弁２４とを接続している。
【００７７】
室外側液管Ｄは、室外電動膨張弁２４と室外熱交換器２３とを接続している。
【００７８】
室外側ガス管Ｅは、室外熱交換器２３と四路切換弁２２とを接続されている。
【００７９】
アキューム管Ｆは、四路切換弁２２とアキュームレータ２５とを接続しており、室外機２の設置状態で鉛直方向に伸びている。アキューム管Ｆの一部に対して、電磁誘導加熱ユニット６が取り付けられている。アキューム管Ｆのうち、少なくとも電磁誘導加熱ユニット６によって覆われている被加熱部分は、銅管Ｆ１の周囲をＳＵＳ（Stainless Used Steel：ステンレス鋼）管Ｆ２が覆って構成されている（図７参照）。冷媒回路１０を構成する配管のうちＳＵＳ管以外の部分は、銅管で構成されている。なお、上記銅管の周囲を覆う管の材質はＳＵＳに限定されるものではなく、例えば、鉄、銅、アルミ、クロム、ニッケル等の導体およびこれらの群から選ばれる少なくとも２種以上の金属を含有する合金等とすることができる。また、ＳＵＳとしては、例えば、フェライト系、マルテンサイト系、オーステナイト系の３種およびこれらの種類を組み合わせたものが例として挙げられる。また、ここでのアキューム管Ｆは、磁性体および磁性体を含有する材料を備えていなくてもよく、誘導加熱が行われる対象となる材質を含有するものであればよい。なお、磁性体材料は、例えば、アキューム管Ｆのすべてを構成していてもよいし、アキューム管Ｆの内側表面のみに形成されていてもよく、アキューム管Ｆ配管を構成する材料中に含有されることで存在していてもよい。このように電磁誘導加熱を行うことで、アキューム管Ｆを電磁誘導によって加熱させることができ、アキュームレータ２５を介して圧縮機２１に吸入される冷媒を暖めることができる。これにより、空気調和装置１の暖房能力を向上させることができる。また、例えば、暖房運転の起動時においては、圧縮機２１が十分に暖まっていない場合であっても、電磁誘導加熱ユニット６による迅速な加熱によって起動時の能力不足を補うことができる。さらに、四路切換弁２２を冷房運転用の状態に切り換えて、室外熱交換器２３等に付着した霜を除去するデフロスト運転を行う場合には、電磁誘導加熱ユニット６がアキューム管Ｆを迅速に加熱することで、圧縮機２１は迅速に暖められた冷媒を対象として圧縮することができる。このため、圧縮機２１から吐出するホットガスの温度を迅速に上げることができる。これにより、デフロスト運転によって霜を解凍させるのに必要とされる時間を短縮化させることができる。これにより、暖房運転中に適時デフロスト運転を行うことが必要となる場合であっても、できるだけ早く暖房運転に復帰させることができ、ユーザの快適性を向上させることができる。
【００８０】
吸入管Ｇは、アキュームレータ２５と圧縮機２１の吸入側とを接続している。
【００８１】
ホットガスバイパス回路Ｈは、吐出管Ａの途中に設けられた分岐点Ａ１と室外側液管Ｄの途中に設けられた分岐点Ｄ１とを接続している。ホットガスバイパス回路Ｈは、途中に冷媒の通過を許容する状態と許容しない状態とを切換可能なホットガスバイバス弁２７が配置されている。
【００８２】
分岐配管Ｋは、室外熱交換器２３の一部を構成しており、熱交換を行うための有効表面積を増大させるために、室外熱交換器２３のガス側出入口２３ｅから伸びる冷媒配管が後述する分岐合流点２３ｋで複数本に分岐した配管である。この分岐配管Ｋは、分岐合流点２３ｋから合流分岐点２３ｊまで伸びており、合流分岐点２３ｊで合流している。
【００８３】
合流配管Ｊは、室外熱交換器２３の一部を構成しており、合流分岐点２３ｊから室外熱交換器２３の液側出入口２３ｄまで伸びている配管である。合流配管Ｊは、冷房運転時に室外熱交換器２３から流れ出る冷媒の過冷却度を統一させることができるとともに、暖房運転時に室外熱交換器２３の下端近傍に着霜した氷を解凍させることができる。
【００８４】
四路切換弁２２は、冷房運転サイクルと暖房運転サイクルとを切換可能である。図１では、暖房運転を行う際の接続状態を実線で示し、冷房運転を行う際の接続状態を点線で示している。暖房運転時には、室内熱交換器４１が冷媒の冷却器として、室外熱交換器２３が冷媒の加熱器として機能する。冷房運転時には、室外熱交換器２３が冷媒の冷却器として、室内熱交換器４１が冷媒の加熱器として機能する。
【００８５】
室外熱交換器２３は、ガス側出入口２３ｅ、液側出入口２３ｄ、分岐合流点２３ｋ、合流分岐点２３ｊ、分岐配管Ｋ、合流配管Ｊおよび熱交フィン２３ｚを有している。ガス側出入口２３ｅは、室外熱交換器２３の室外側ガス管Ｅ側の端部に位置しており、室外側ガス管Ｅと接続される。液側出入口２３ｄは、室外熱交換器２３の室外側液管Ｄ側の端部に位置しており、室外側液管Ｄと接続される。分岐合流点２３ｋは、ガス側出入口２３ｅから伸びる配管を分岐させており、流れる冷媒の方向に応じて冷媒を分岐もしくは合流させることができる。分岐配管Ｋは、分岐合流点２３ｋにおける各分岐部分から複数本伸びている。合流分岐点２３ｊは、分岐配管Ｋを合流させており、流れる冷媒の方向に応じて冷媒を合流もしくは分岐させることができる。合流配管Ｊは、合流分岐点２３ｊから液側出入口２３ｄまで伸びている。熱交フィン２３ｚは、板状のアルミフィンが板厚方向に複数枚並んで、所定の間隔で配置されて構成されている。分岐配管Ｋおよび合流配管Ｊは、いずれも、熱交フィン２３ｚを共通の貫通対象としている。具体的には、分岐配管Ｋおよび合流配管Ｊは、共通の熱交フィン２３ｚの異なる部分で板圧方向に貫通して配置されている。
【００８６】
室外機２内に配置される機器を制御する室外制御部１２と、室内機４内に配置されている機器を制御する室内制御部１３とが、通信線１１ａによって接続されることで、制御部１１を構成している。この制御部１１は、空気調和装置１を対象とした種々の制御を行う。
【００８７】
＜１−２＞室外機２
図２に、室外機２の正面側の外観斜視図を示す。図３に、室外機２の背面側の外観斜視図を示す。図４に、室外熱交換器２３および室外ファン２６との位置関係についての斜視図を示す。図５に、室外熱交換器２３および底板２ｂとの位置関係についての斜視図を示す。
【００８８】
室外機２は、天板２ａ、底板２ｂ、フロントパネル２ｃ、左側面パネル２ｄ、右側面パネル２ｆおよび背面パネル２ｅによって構成される略直方体形状の室外機ケーシングによって外表面を構成している。
【００８９】
室外機２は、室外熱交換器２３および室外ファン２６等が配置されており左側面パネル２ｄ側である送風機室と、圧縮機２１や電磁誘導加熱ユニット６が配置されており右側面パネル２ｆ側である機械室と、に図示しない仕切り板を介して区切られている。なお、電磁誘導加熱ユニット６は、機械室のうちの左側面パネル２ｄおよび天板２ａの近傍である上方の位置に配置されている。ここで、上述した室外熱交換器２３の熱交フィン２３ｚは、略水平方向に板厚方向が向くようにしつつ、板厚方向に複数並んで配置されている。合流配管Ｊは、室外熱交換器２３の熱交フィン２３ｚのうち最も下の部分において、熱交フィン２３ｚを厚み方向に貫通することで配置されている。ホットガスバイパス回路Ｈは、室外ファン２６および室外熱交換器２３の下方を沿うように配置されている。
【００９０】
＜１−３＞電磁誘導加熱ユニット６
図６に、電磁誘導加熱ユニット６の概略斜視図を示す。図７に、電磁誘導加熱ユニット６の断面図を示す。図８に、電磁誘導加熱ユニット６から遮蔽カバー７５を取り除いた状態の外観斜視図を示す。
【００９１】
電磁誘導加熱ユニット６は、アキューム管Ｆのうち被加熱部分を径方向外側から覆うように配置されており、電磁誘導加熱によって被加熱部分を加熱する。このアキューム管Ｆの被加熱部分は、内側の銅管Ｆ１と外側のＳＵＳ管Ｆ２とを有する二重管構造となっている。なお、電磁誘導加熱ユニット６をアキューム管Ｆへ固定する前に、電磁誘導加熱ユニット６をアキューム管Ｆに対して位置決めさせるため、図１１に示すようなビィンディング９７が用いられる。これにより、電磁誘導加熱ユニット６のアキューム管Ｆに対する位置が定まったままで、後述する固定作業を行うことができ、作業性がよい。
【００９２】
電磁誘導加熱ユニット６は、第１六角ナット６１、第２六角ナット６６、Ｃ型リング６２、第１ボビン蓋６３、第２ボビン蓋６４、ボビン本体６５、第１フェライトケース７１、第２フェライトケース７２、第３フェライトケース７３、第４フェライトケース７４、第１フェライト９８、第２フェライト９９、コイル６８、遮蔽カバー７５、サーミスタ１４およびヒューズ１５を備えている。
【００９３】
第１六角ナット６１は、樹脂製であって、電磁誘導加熱ユニット６をアキューム管Ｆに対して上端近傍で固定する。第２六角ナット６６は、樹脂製であって、電磁誘導加熱ユニット６をアキューム管Ｆに対して下端近傍で固定する。
【００９４】
Ｃ型リング６２は、樹脂製であって、第１六角ナット６１および第１ボビン蓋６３と協同して、アキューム管Ｆに対して面接触して固定される。なお、図示しないが、第２六角ナット６６および第２ボビン蓋６４とも協同して、アキューム管Ｆに対して面接触して固定される。
【００９５】
第１ボビン蓋６３は、樹脂製であって、電磁誘導加熱ユニット６においてアキューム管Ｆとコイル６８との相対位置を決める部材の１つであり、電磁誘導加熱ユニット６の上方でアキューム管Ｆを周囲から覆う。第２ボビン蓋６４は、樹脂製であって、第１ボビン蓋６３と同一形状であって、電磁誘導加熱ユニット６の下方でアキューム管Ｆを周囲から覆う。図１３に、第１ボビン蓋６３の上面図を示す。図１４に、第１ボビン蓋６３の下面図を示す。第１ボビン蓋６３は、アキューム管Ｆを貫通させつつ、第１六角ナット６１およびＣ型リング６２と協同してアキューム管Ｆと電磁誘導加熱ユニット６とを固定させるための配管用筒状部６３ｃを有している。第１ボビン蓋６３は、コイル第１部分６８ｂおよびコイル第２部分６８ｃを通過させつつ保持するために、外周部分から内側に向けて形成された略Ｔ字形状のフック形状部６３ａを有している。第１ボビン蓋６３は、ボビン本体６５とＳＵＳ管Ｆ２との間に滞留している熱を外部に放出させるために上下方向に貫通した放熱開口６５ｂを複数有している。第１ボビン蓋６３は、第１〜第４フェライトケース７１〜７４をネジ６９を介して螺着させるための、ネジ６９用の螺着孔６３ｄを４つ有している。さらに、第１ボビン蓋６３は、ヒューズ差し込み開口６３ｅおよびサーミスタ差し込み開口６３ｆを有している。このヒューズ差し込み開口６３ｄは、図１６に示すヒューズ１５を取り付ける際の開口であって、ヒューズ１５の差し込み方向視における外縁形状に沿った形状の開口である。サーミスタ差し込み開口６３ｆは、図１５に示すサーミスタ１４を取り付ける際の開口であって、サーミスタ１４の差し込み方向視における外縁形状に沿った形状の開口である。なお、サーミスタ１４およびヒューズ１５は、電磁誘導加熱ユニット６の下方から取り付けられるため、第１ボビン蓋６３のサーミスタ差し込み開口６３ｆおよびヒューズ差し込み開口６３ｄは、放熱開口６３ｂと同様の放熱機能を発揮することになる。ここで、放熱しようとする暖かい空気はボビン本体６５内の上方の空間に溜まるため、上方の放熱開口を下方よりも多く設けておくことで効率的な放熱を行うことが可能となっている。そして、第２ボビン蓋６４のサーミスタ差し込み開口６３ｆにはサーミスタ１４が挿入され、第２ボビン蓋６４のヒューズ差し込み開口６３ｄにはヒューズ１５が挿入され、それぞれ取り付けられる。図１４に示すように、第１ボビン蓋６３の下面側には、ボビン本体６５の上端円筒部（後述する）の内側に位置することでボビン本体６５と嵌り合うボビン用筒上部６５ｇが下方に延びている。このボビン用筒上部６５ｇは、上述した放熱開口６３ｂ、螺着孔６３ｄ、ヒューズ差し込み開口６３ｅおよびサーミスタ差し込み開口６３ｆの貫通状態を閉ざすことないように、各開口の外縁に沿った部分から貫通方向に延びて形成されている。なお、第１ボビン蓋６３が有している開口や形状は、第２ボビン蓋６４についても同様であり、第１ボビン蓋６３における６３番台の各部材番号は第２ボビン蓋６４における６４番台の部材番号にそれぞれ対応させて示し、説明は省略する。
【００９６】
ボビン本体６５は、図９に示すように、コイル６８が巻き付けられる。ボビン本体６５は、図１０に示すように、円筒状の形状である円筒部６５ａを有している。ボビン本体６５は、上端からわずかに下がった部分で径方向に突出して形成される第１巻き止め部６５ｓと、下端からわずかに上がった部分で径方向に突出して形成される第２巻き止め部６５ｔと、を有している。第１巻き止め部６５ｓより上方には、上端円筒部６５ｘが延びている。第２巻き止め部６５ｔより下方には、下端円筒部６５ｙが延びている。第１巻き止め部６５ｓは、径方向外側にさらに突出した第１コイル保持部６５ｂを有している。この第１コイル保持部６５ｂは、コイル第１部分６８ｂを挟み込むために径方向内側に窪んで形成されたコイル保持溝６５ｃと、コイル第２部分６８ｃを挟み込むために径方向内側に窪んで形成されたコイル保持溝６５ｄと、を有している。第２巻き止め部６５ｔは、第１巻き止め部６５ｓと同様に、コイル保持溝６５ｆ、６５ｇが形成された第２コイル保持部６５ｅを有している。図１２の電磁誘導加熱ユニット６の下面図に示すように、ボビン本体６５に形成されているコイル保持溝６５ｆ、６５ｇは、アキューム管Ｆが延びる方向からみた場合に、第２ボビン蓋６４のフック形状部６４ａによって外側が覆われることで、コイル第１部分６８ｂおよびコイル第２部分６８ｃをより確実に保持することができている。また、コイル保持溝６５ｆ、６５ｇと、フック形状部６４ａとは、アキューム管Ｆが延びている方向にずれて配置されるため、コイル第１部分６８ｂおよびコイル第２部分６８ｃが延びている方向の複数箇所において保持することができるたえ、コイル６８に対して局所的な負荷が生じにくいようにすることができている。ボビン本体６５には、アキューム管Ｆ側の内側において、アキューム管Ｆとの間に空間が形成されており、コイル６８に電流が流れた際に生じる磁束がより効率的にアキューム管ＦのＳＵＳ管Ｆ２を通過するように距離をとっている。
【００９７】
第１フェライトケース７１は、第１ボビン蓋６３と第２ボビン蓋６４とをアキューム管Ｆの延びている方向から挟み込む。また、第１フェライトケース７１は、後述する第１フェライト９８および第２フェライト９９を収容する部分を有している。第２フェライトケース７２、第３フェライトケース７３、第４フェライトケース７４についても、第１フェライトケース７１と同様であって、これらは、ボビン本体６５、第１ボビン蓋６３および第２ボビン蓋６４を外側４方向から覆う位置に配置される。図６、図８および図１２に示すように、第１ボビン蓋６３は、第１〜第４フェライトケース７１〜７４それぞれと、金属製のネジ６９を介して螺着され、固定される。
【００９８】
第１フェライト９８は、透磁率の高い素材であるフェライトによって構成されており、コイル６８に電流を流した際に、ＳＵＳ管Ｆ２以外の部分にも生じる磁束を集めて磁束の通り道を形成する。この第１フェライト９８は、特に、電磁誘導加熱ユニット６の上端近傍および下端近傍の第１〜第４フェライトケース７１〜７４の収容部に収容される。第２フェライト９９についても、配置位置および形状以外は上記第１フェライト９８と同様であり、第１〜第４フェライトケース７１〜７４の収容部のうちボビン本体６５の外側近傍の位置に配置される。ここで、第１フェライト９８および第２フェライト９９が設けられていない場合には、例えば、図１７に示すように、周囲に磁束が漏れ出してしまうことになる。これに対して、本実施形態の電磁誘導加熱ユニット６では、コイル６８の外側に第１フェライト９８および第２フェライト９９が設けられているために、図１８に示すように磁束が流れ、漏れ磁束を低減させることができている。
【００９９】
コイル６８は、ボビン本体６５の外側においてアキューム管Ｆの延びる方向を軸方向として螺旋状に巻き付けられているコイル巻き付け部分６８ａ、コイル巻き付け部分６８ａに対してコイル６８の一端側に延びているコイル第１部分６８ｂと、コイル６８の一端側とは反対側である他端側に延びているコイル第２部分６８ｃと、を有している。このコイル６８は、第１〜第４フェライトケース７１〜７４の内側に位置している。コイル第１部分６８ｂおよびコイル第２部分６８ｃは、図１１に示すように、制御用プリント基板１８と接続されている。そして、コイル６８は、この制御用プリント基板１８から高周波電流の供給を受ける。制御用プリント基板１８は、制御部１１によって制御されている。高周波電流の供給を受けると、コイル巻き付け部分６８ａが磁束を生じさせる。具体的には、図１８において点線で示すように、ＳＵＳ管Ｆ２のコイル巻き付け部６８ａからの最寄り部分と、第１フェライト９８、第２フェライト９９および遮蔽カバー７５のコイル巻き付け部６８ａからの最寄り部分と、をアキューム管Ｆに対する径方向であってかつ軸方向に広がっている面上において略楕円形状となるように磁束が生じる。このようにして生じた磁束によって、ＳＵＳ管Ｆ２は、電磁誘導によって電流（渦電流）が生じる。ここでＳＵＳ管Ｆ２を電流が流れる際に電気抵抗となる部分で発熱が生じることになる。なお、ここでは、コイル６８の材料として、効率よく磁束を生じさせる観点から、良導体である銅線を用いている。なお、コイル６８の材料としては、電気を流せるものであれば特に限定されるものではない。
【０１００】
遮蔽カバー７５は、図６と図８を比較すると分かるように、電磁誘導加熱ユニット６の最外周部分に配置されており、第１フェライト９８および第２フェライト９９だけでは呼び込みきれない磁束を集める。図６に示すように、遮蔽カバー７５は、第１フェライトケース７１に対して、ネジ７０ａ、７０ｂ、７０ｃ、７０ｄを介して螺着されることで固定されている。これにより、電磁誘導加熱ユニット６においては、この遮蔽カバー７５の外側にはほとんど漏れ磁束が生じず、磁束の発生場所について自決することができている。
【０１０１】
サーミスタ１４は、図１５に示すように、アキューム管Ｆの外表面に対して直接接触するように取り付けられ、サーミスタ検知部１４ａ、外側突起１４ｂ、側面突起１４ｃおよびサーミスタ配線１４ｄを有している。サーミスタ検知部１４ａは、アキューム管Ｆの外表面の湾曲形状に沿うような形状を有しており、実質的な接触面積を有している。外側突起１４ｂは、サーミスタ１４の取り付け状態において、アキューム管Ｆから離れる方向に突出した状態となる突起であって、第２ボビン蓋６４のサーミスタ差し込み開口６３ｆの縁に沿った形状となっている。側面突起１４ｃも、外側突起１４ｂと同様に第２ボビン蓋６４のサーミスタ差し込み開口６３ｆの縁に沿った形状となっており、外側突起１４ｂから離れる向きに延びている。サーミスタ配線１４ｄは、サーミスタ検知部１４ａの検知結果を信号にして制御部１１まで伝える。なお、サーミスタ１４は、図１５において上方に向けて挿入されるが、外側突起１４ｂおよび側面突起１４ｃを有しているため、サーミスタ差し込み開口６３ｆと同様に、挿入方向からみて非対称な形状となっている。このため、サーミスタ１４の取り付け作業において間違いが生じないようにすることができており、取り付け作業性が向上している。
【０１０２】
ヒューズ１５は、図１６に示すように、アキューム管Ｆの外表面に対して直接接触するように取り付けられ、ヒューズ検知部１５ａ、非対称形状１５ｂおよびヒューズ配線１５ｄを有している。ヒューズ検知部１５ａは、アキューム管Ｆの外表面の湾曲形状に沿うように湾曲した窪み形状を有しており、実質的な接触面積を有している。非対称形状１５ｂは、上述したサーミスタ１４と同様に、図１６において上方に向けて挿入されるが、ヒューズ差し込み開口６３ｄと同様に、挿入方向からみて非対称な形状となっている。このため、ヒューズ１５の取り付け作業において間違いが生じないようにすることができており、取り付け作業性が向上している。
【０１０３】
＜１−４＞排水固定構造
図１９に、電磁誘導加熱ユニット６をアキューム管Ｆに対して固定する主要部品の分解斜視図を示す。
【０１０４】
電磁誘導加熱ユニット６は、第１六角ナット６１の内側および第２六角ナット６６の内側の２カ所でアキューム管Ｆに対して固定されている。第２六角ナット６６の内側によつ固定は、第１六角ナット６１の内側による固定と同様であるため、以下、第１六角ナット６１による固定を中心に説明し、第２六角ナット６６についての説明を省略する。なお、他の実施形態等の説明においても、同様である。なお、以下に述べる排水固定構造は、アキューム管Ｆに対する排水固定構造を例に挙げているが、これに限られず、他の部分の冷媒配管にも適用するこができる。
【０１０５】
電磁誘導加熱ユニット６の上方部分は、主として、第１六角ナット６１、Ｃ型リング６２および第１ボビン蓋６３が協同し合うことによって、アキューム管Ｆへ固定される。以下、第１六角ナット６１、Ｃ型リング６２および第１ボビン蓋６３についてさらいに詳細に説明する。
【０１０６】
（第１六角ナット６１）
図２０に、第１六角ナット６１の平面図を示す。図２１に、図２０における第１六角ナット６１のＡ−Ａ断面の断面図を示す。
【０１０７】
第１六角ナット６１は、外周が六角形となるように構成されており、内側に略円筒状の貫通部分が形成されており、導水傾斜部６１ａ、上平面部６１ｂ、上外縁傾斜部６１ｃ、側面部６１ｄ、下外縁傾斜部６１ｅ、下平面部６１ｆ、内側突起部６１ｇ、内側押付部６１ｈおよびネジ溝部６１ｊを有している。導水傾斜部６１ａは、内側の略円筒状の貫通部分の上端近傍において、径方向内側に向かうにつれて下方に傾斜するように形成されている。アキューム管Ｆの外表面に生じた結露水や、アキューム管Ｆの外表面に形成された氷の解凍によって生じた解凍水は、この導水傾斜部６１ｆの内側への傾斜によって、第１六角ナット６１内側へと水を導くことができる。上平面部６１ｂは、導水傾斜部６１ａの外側から径方向に延びる平面である。上外縁傾斜部６１ｃは、上面平面部６１ｃの外側から径方向外側に向かうにつれて下方に位置するように傾斜して形成されている。これにより、導水傾斜部６１ａによって第１六角ナット６１の内側に導かれなかった水は、この上外縁傾斜部６１ｃによって第１六角ナット６１の外側に送られる。側面部６１ｄは、鉛直方向に広がっている面を有している。下外縁傾斜部６１ｅは、上方から流れてきた結露水や解凍水を、下方の第１ボビン蓋６３の放熱開口６３ｂへと流し落とす。下平面部６１ｆは、第１六角ナット６１の下面を構成する水平面である。外側突起部６１ｇは、第１六角ナット６１の内側に突出した部分であり、第１六角ナット６１のうちで最もアキューム管Ｆの外表面に近づく部分である。内側押付部６１ｈは、アキューム管Ｆへ電磁誘導加熱ユニット６が固定されつつ排水可能となっている状態（以下、単に「排水固定状態」という。）で、Ｃ型リング６２をアキューム管Ｆ側に押しつける部分である。ネジ溝部６１ｊは、第１ボビン蓋６３の配管用筒上部６３ｃの外側に設けられたネジ溝部６３ｐと螺合する。
【０１０８】
ここで、第１六角ナット６１の外側突起部６１ｇと側面部６１ｄとの径方向の厚みは、５ｍｍ以上に形成されている。このように第１六角ナット６１の幅が５ｍｍ以上である場合には、そこに水が滞留したままで氷になってしまい、さらにその氷が成長してしまうおそれがある。しかし、ここでは、上述したように、第１六角ナット６１の径方向内側に排水させつつ、径方向外側に排水させることもできるため、機器の信頼性を向上させることができている。
【０１０９】
（Ｃ型リング６２）
図２２に、Ｃ型リング６２の平面図を示す。図２３に、Ｃ型リング６２の側面図を示す。図２４に、Ｃ型リング６２の断面図を示す。
【０１１０】
Ｃ型リング６２は、円形状の部材が一端部６２ａと多端部６２ｂとの間が接続されることなく、空間が存在しており、輪の一部を欠いた形状となっている。この一端部６２ａと、Ｃ型リング６２の円心と、多端部６２ｂと、を結んでなす角度が４５度となっている。Ｃ型リング６２は、内径が２２．３ｍｍである。
【０１１１】
Ｃ型リング６２は、外側平面部６２ｊ、外側ナット押付部６２ｈ、外側蓋押付部６２ｋおよび内側配管押付部６２ｍを有している。
【０１１２】
外側平面部６２ｊは、排水固定状態において第１六角ナット６１側を向いており、鉛直方向に平面が広がっている。
【０１１３】
外側ナット押付部６２ｈは、排水固定状態において、第１六角ナット６１の内側押付部６１ｈと押し合って接している状態となり、内側押付部６１ｈから鉛直下向きの力を受けて、Ｃ型リング６２自体の内径を小さくするように弾性変形させ、アキューム管Ｆの外表面と内側配管押付部６２ｍとが押し合って接している状態にさせる。
【０１１４】
外側蓋押付部６２ｋは、外側ナット押付部６２ｈと同様に、後述する第１ボビン蓋６３の内側押付部６３ｋと押し合って接している状態となり、内側押付部６３ｋから鉛直上向きの力を受けて、Ｃ型リング６２自体の内径を小さくするように弾性変形させ、アキューム管Ｆの外表面と内側配管押付部６２ｍとが押し合って接している状態にする。
【０１１５】
Ｃ型リング６２は、径方向の厚みが２ｍｍである。鉛直方向の厚みは、外側平面部６２ｊ部分が１ｍｍであり、内側配管押付部６２ｍ部分が３．５ｍｍである。外側ナット押付部６２ｈと外側蓋押付部６２ｋとがなす角度は９０度である。これにより、Ｃ型リング６２の内側配管押付部６２ｍは、アキューム管Ｆの外表面に沿うように鉛直方向の幅が３．５ｍｍである、接触面が確保されている。
【０１１６】
（第１ボビン蓋６３）
第１ボビン蓋６３は、第１六角ナット６１と螺着しつつ、第１から第４フェライトケース７１〜７４によってボビン本体６５とも固定された状態となる、樹脂製の部材である。
【０１１７】
第１ボビン蓋６３は、配管用筒状部６３ｃ、ボビン用筒状部６５ｇ、蓋面部６３ｑ、ネジ溝部６３ｐ、上平面部６３ｍ、内側押付部６３ｋおよび内側面部６３ｎを有している。
【０１１８】
配管用筒状部６３ｃは、上述したように、電磁誘導加熱ユニット６をアキューム管Ｆの伸びる方向に沿うように固定するため、内径が、アキューム管Ｆの外径よりもわずかに大きく形成された円筒形状を有している。
【０１１９】
ボビン用筒状部６５ｇは、ボビン本体６５と嵌り合うために、外径が、ボビン本体６５の内径よりもわずかに小さくなるように形成されている。このボビン用筒状部６５ｇは、上述した放熱開口６３ｂ、螺着孔６３ｄ、ヒューズ差し込み開口６３ｅおよびサーミスタ差し込み開口６３ｆの縁を覆う位置から、これらの開口の貫通方向に向けて伸びている。
【０１２０】
蓋面部６３ｑは、ボビン本体６５に対して第１ボビン蓋６３が取り付けられた状態で、ボビン本体６５の略円筒形状の上方のうち各開口部分を除いた部分を覆っている。
【０１２１】
ネジ溝部６３ｐは、上述したように、第１六角ナット６１のネジ溝部６１ｊと螺合するように形成されているネジ溝である。
【０１２２】
上平面部６３ｍは、配管用筒状部６３ｃの、アキューム管Ｆの伸びている方向における先端部分であって、アキューム管Ｆの伸びている方向に対して略垂直な面を有する平面形状である。
【０１２３】
内側押付部６３ｋは、配管用筒状部６３ｃの内側において、アキューム管Ｆの伸びている方向における先端部分から、下方にいくにつれて径方向内側に位置するように傾斜して形成された傾斜部分である。この内側押付部６３ｋは、上述したように、固定状態において、外側蓋押付部６２ｋと押し合って接触した状態となる。
【０１２４】
内側面部６３ｎは、固定状態において、配管用筒状部６３ｃのうち、アキューム管Ｆの外周面と面する位置に配置され、アキューム管Ｆを外側から取り囲む。
【０１２５】
（固定作用）
図２７に、固定状態直前の第１六角ナット６１、Ｃ型リング６２および第１ボビン蓋６３の断面形状における位置関係を示す。図２８に、排水固定状態を示す。
【０１２６】
図２７に示すように、第１六角ナット６１が第１ボビン蓋６３に対してねじ込まれることで、第１六角ナット６１の内側押付部６１ｈと、第１ボビン蓋６３の内側押付部６３ｋと、の鉛直方向における距離が短くなっていく。第１六角ナット６１をさらに第１ボビン蓋６３に対してねじ込むと、Ｃ型リング６２の外側ナット押付部６２ｈは第１六角ナット６１の内側押付部６１ｈと押し合って接している状態となり、Ｃ型リング６２の外側蓋押付部６２ｋは、第１ボビン蓋６３の内側押付部６３ｋと押し合って接している状態となる。そして、この状態からさらに第１六角ナット６１を第１ボビン蓋６３に対してねじ込むと、Ｃ型リング６２の外側ナット押付部６２ｈが第１六角ナット６１の内側押付部６１ｈと押し合って接している状態を保ったままで互いにスライドし、Ｃ型リング６２の外側蓋押付部６２ｋが第１ボビン蓋６３の内側押付部６３ｋと押し合って接している状態を保ったままで互いにスライドし、Ｃ型リング６２自体は、径方向内側に押し出されていく。これにより、アキューム管Ｆの外表面に対して、Ｃ型リング６２の内側配管押付部６２ｍが押し合って接した状態となる。続けて、第１六角ナット６１を第１ボビン蓋６３に対してねじ込むことで、Ｃ型リング６２自体は、よりいっそう径方向内側に押し出され、アキューム管Ｆの外表面に対して、Ｃ型リング６２の内側配管押付部６２ｍが周囲から巻き付いて固定された状態となる。
【０１２７】
なお、この排水固定状態において、Ｃ型リング６２の内側配管押付部６２ｍが欠落している部分における、アキューム管Ｆの外表面と第１六角ナット６１のネジ溝部６１ｊとは、径方向において１ｍｍ以上の隙間ができている。このように、１ｍｍ以上の隙間ができている場合には、結露水や解凍水が滞留しがちになるが、ここでは排水構造が確保されているため、このような水の滞留を防ぐことができている。
【０１２８】
＜本実施形態の空気調和装置１の特徴＞
図２９および図３０に示すようなナット９６１、リング９６２、蓋９６３の組合せによる固定構造では、ナット９６１の配管側である内側に水を導く傾斜が形成されていない。このため、図２９に示すように、ナット９６１の上面上に結露水や解凍水等の水Ｗが滞留し、温度の低下にともなってこれが凍結してしまうおそれがある。さらには、このようにして凍結した氷がさらに成長してしまうおそれがある。また、図３０に示すように、ナット９６１と蓋９６３との間に結露水や解凍水等の水Ｗが滞留したままとなり、温度の低下にともなって凍結してしまうと、水から氷への相変化の際に生じる体積増大によって、ナット９６１および蓋９６３に亀裂が入る等の損傷を生じさせるおそれがある。
【０１２９】
これに対して、上述した本実施形態の空気調和装置１では、図３１に示すように、第１六角ナット６１には、アキューム管Ｆ側に向かって斜め下に傾斜するように形成された導水傾斜部６１ａが設けられているため、第１六角ナット６１上における結露水や凍結水等の水Ｗは、この導水傾斜部６１ａの斜面に沿って、第１六角ナット６１とアキューム管Ｆとの間に流し落とされる。そして、Ｃ型リング６２まで達した結露水や解凍水は、表面張力によってＣ型リング６２の円周方向に沿うように伝っていく。これにより、結露水や解凍水は、図３２に示すように、Ｃ型リング６２のうちの欠落部分のスペース６２ｓまで到達し、アキューム管Ｆの外表面と、第１六角ナット６１の内側押付部６１ｈと、第１ボビン蓋６３の内側押付部６３ｋと、によって囲まれた空間を通過して、より下方に導かれる。そして、結露水や解凍水は、アキューム管Ｆと、第１ボビン蓋６３の内側面部６３ｎと、の間を通過して、ボビン本体６５の内側の空間まで導かれる。
【０１３０】
また、電磁誘導加熱ユニット６の下方側における固定をしている第２六角ナット６６についても、上述の第１六角ナット６１による上方部分の固定と同様に、Ｃ型リング６２と第２ボビン蓋６４とが協働することで、アキューム管Ｆに対して固定されている。そして、この下方における固定構造も上記上方における固定構造と同様であって、Ｃ型リング６２の欠落部分を介して、ボビン本体６５内に流れ込んだ結露水や解凍水や、ボビン本体６５内で生じた結露水や解凍水を、電磁誘導加熱ユニット６の下方に排水させる。
【０１３１】
これによって、電磁誘導加熱ユニット６をアキューム管Ｆに対して固定したことによって生じうる結露水や解凍水の排水困難性の問題を解決することができる。
【０１３２】
なお、第１六角ナット６１の径方向外側に流れ出した結露水や解凍水は、第１ボビン蓋６３の放熱開口６３ｂ等を通じて排水させることができる。
【０１３３】
また、ビーディング９７によって固定位置を定めつつ、第１六角ナット６１および第２六角ナット６６を回転させてボビン本体６５に対して螺合させるだけで、Ｃ型リング６２の内側配管押付部６２ｍとアキューム管Ｆの外表面との接触面を広く確保することができるため、電磁誘導加熱ユニット６自体をアキューム管Ｆに強固に固定させることができ、容易な作業によって取付および固定を行うことができる。
【０１３４】
＜他の実施形態＞
以上、本発明の実施形態について図面に基づいて説明したが、具体的な構成は、これらの実施形態に限られるものではなく、発明の要旨を逸脱しない範囲で変更可能である。
【０１３５】
なお、以下の説明において、上記実施形態と同様の部材を採用可能な場合には、上記実施形態と同じ部材名、同じ部材番号もしくは百番単位で番号を増大させた部材番号によって示し、説明を省略する。
【０１３６】
（Ａ）
上記実施形態では、電磁誘導加熱ユニット６とアキューム管Ｆとの排水固定状態は、第１六角ナット６１、Ｃ型リング６２および第１ボビン蓋６３が協同し合うことによって実現される場合について例に挙げて説明した。
【０１３７】
しかし、本発明はこれに限られるものではない。
【０１３８】
図３３に示すように、例えば、排水固定構造は、第１六角ナット１６１、Ｃ型円筒１６２および第１ボビン蓋１６３が作用することによって実現されていてもよい。
【０１３９】
ここで、第１六角ナット１６１は、上方に向かうにつれて内側の内径が小さくなるように形成されている。第１ボビン蓋１６３の配管用筒状部１６３ｃについても、上方に向かうにつれて外径が小さくなるように形成されている。また、Ｃ型円筒１６２は、上記実施形態におけるＣ型リング６２を軸方向に引き延ばした略円筒形状である。Ｃ型円筒１６２は、円周方向の一部が欠落して軸方向に伸びた欠落部分のスペース１６２ｓを有している。このＣ型円筒１６２は、第１六角ナット１６１が第１ボビン蓋１６３に対してねじ込まれることで、第１六角ナット１６１の上方に向かうにつれて内側の内径が小さく形成されている形状と、第１ボビン蓋１６３の配管用筒状部１６３ｃの上方に向かうにつれて外径が小さく形成されている形状と、が採用されているために、第１ボビン蓋１６３の配管用筒状部１６３ｃが径方向内側に向けて弾性変形する。そして、図３４の断面図に示すように、この径方向内側に向けて弾性変形した配管用筒状部１６３ｃの内側面が、Ｃ型円筒１６２の外周面と押し合って接している状態とし、Ｃ型円筒１６２が径方向内側に弾性変形する。これにより、Ｃ型円筒１６２の内側の面がアキューム管Ｆの外表面と押し合って接している状態にして、電磁誘導加熱ユニット６とアキューム管Ｆとが固定される。この状態であっても、図３５の断面図に示すように、Ｃ型円筒１６２は、欠落部分のスペース１６２ｓが、第１六角ナット１６１および第１ボビン蓋１６３とアキューム管Ｆとの間で、上端から下端まで連続して設けられているため、上記実施形態と同様の排水機能を備え、排水固定状態となることができる。
【０１４０】
なお、Ｃ型円筒１６２は、例えば、１つだけであってもよいし、複数枚が径方向において互いに重なるように設けられていてもよい。Ｃ方円筒１６２を設けることで、アキューム管Ｆの外側と第１六角ナット１６１や第１ボビン蓋１６３の内側との距離に合うようなＣ方円筒１６２の大きさや形状を選択することができ、設計の自由度を増大させつつ、適当な大きさおよび形状のＣ方円筒１６２を選択することでより強固な固定構造を採用することができる。
【０１４１】
（Ｂ）
図３６に示すように、例えば、排水固定構造は、第１六角ナット２６１および第１ボビン蓋２６３が作用することによって実現されていてもよい。
【０１４２】
ここで、第１六角ナット２６１は、上方に向かうにつれて内側の内径が小さくなるように形成されている。第１ボビン蓋２６３の配管用筒状部２６３ｃについても、上方に向かうにつれて外径が小さくなるように形成されている。また、第１ボビン蓋２６３は、配管用筒状部２６３ｃの内側に排水溝２６３ｖを有している。この排水溝２６３ｖは、径方向外側に向けて切り込まれた溝が形成されており、この溝が軸方向に繋がった形状となっている。これにより、図３７の断面図に示すように、第１六角ナット２６１が第１ボビン蓋２６３に対してねじ込まれた場合に、第１六角ナット２６１の上方に向かうにつれて内側の内径が小さく形成されている形状と、第１ボビン蓋２６３の配管用筒状部２６３ｃの上方に向かうにつれて外径が小さく形成されている形状と、が採用されているために、配管用筒上部２６３ｃの内側が径方向内側に向けて弾性変形し、アキューム管Ｆの外周と押し合って接している状態にして固定させる。この固定状態においても、図３８の断面図に示すように、排水溝２６３ｖの部分はアキューム管Ｆの外表面と接触しておらず、アキューム管Ｆの外表面との間に隙間２６２ｓが形成されている。上述のように電磁誘導加熱ユニット６が固定された状態であっても、結露水や解凍水は、この隙間を通過して排水される。このようにして排水固定状態となることができる。
【０１４３】
（Ｃ）
図３９に示すように、例えば、第１ボビン蓋３６３の配管用筒状部３６３ｃの内側と、アキューム管Ｆの外表面と、の間に円筒弾性部材３６２を介在させることでよって排水固定構造を実現させてもよい。
【０１４４】
ここで、第１六角ナット３６１は、上方に向かうにつれて内側の内径が小さくなるように形成されている。第１ボビン蓋３６３の配管用筒状部３６３ｃについても、上方に向かうにつれて外径が小さくなるように形成されている。また、円筒弾性部材３６２は、例えば、ゴム等の弾性体からなる円筒形状である。図４０に示すように、第１六角ナット３６１が第１ボビン蓋３６３に対してねじ込まれた場合に、第１六角ナット３６１の上方に向かうにつれて内側の内径が小さく形成されている形状と、第１ボビン蓋３６３の配管用筒状部３６３ｃの上方に向かうにつれて外径が小さく形成されている形状と、が採用されているために、配管用筒上部３６３ｃの内側が径方向内側に向けて弾性変形することで、円筒弾性部材３６２の外表面が径方向内側に押される。これによって、円筒弾性部材３６２は、配管用筒上部３６３ｃの内側とアキューム管Ｆの外側との間に弾性変形した状態で挟まれて、固定される。この固定状態においても、図４１に示すように、排水溝３６３ｖの部分はアキューム管Ｆの外表面と接触しておらず、アキューム管Ｆの外表面との間に隙間３６２ｓが形成されている。上述のように電磁誘導加熱ユニット６が固定された状態であっても、結露水や解凍水は、この隙間を通過して排水される。このようにして排水固定状態となることができる。
【０１４５】
なお、円筒弾性部材３６２のような、第１六角ナット３６１および第１ボビン蓋３６３と、アキューム管Ｆと、の間に介在する部材は、１つに限られず、複数の部材が何重にも重なって設けられていてもよい。
【０１４６】
（Ｄ）
図４２および図４３に示すように、例えば、上記他の実施形態（Ｃ）の円筒弾性部材３６２と同様の形状を有する円筒弾性部材４６９およびＣ型リング４６２を用いつつ、第１六角ナット４６１および第１ボビン蓋４６３と協働させることによって排水固定状態が実現されていてもよい。
【０１４７】
ここで、Ｃ型リング４６２は、円周方向の一部が欠落している欠落部分のスペース４６２ｓを有している。円筒弾性部材４６９とＣ型リング４６２とが併用された場合には、例えば、図４３に示すように、円筒弾性部材４６９の外側と、Ｃ型リング４６２の内側配管押付部４６２ｍとが押し合って接している状態となる。これにより、図４４の断面図に示すように、第１六角ナット４６１が第１ボビン蓋４６３に対してねじ込まれた場合に、円筒弾性部材４６９がＣ型リング４６２によって径方向外側から内側に向けて押されて固定された状態となる。このように固定状態となっても、図４５に示すように、Ｃ型リング４６２の欠落部分において、円筒弾性部材４６２の外表面と第１六角ナット４６１の内側押付部４６１ｈと第１ボビン蓋４６３の内側押付部４６３ｋとによって囲まれる部分に隙間４６２ｓが生じ、結露水や解凍水等を排水させることができる。このようにして排水固定状態となることもできる。
【０１４８】
（Ｅ）
図４６に示すように、例えば、排水固定構造は、排水溝Ｆｖと接触面Ｆｓとによって周囲が構成されているアキューム管２００Ｆによって実現されていてもよい。
【０１４９】
ここで、アキューム管２００Ｆは、径方向外側から内側に向けて凹んだ溝である排水溝Ｆｖが複数箇所において、軸方向に連なるように形成されている。また、この排水溝Ｆｖの間には、電磁誘導加熱ユニット６が固定される面としての接触面Ｆｓが設けられている。
【０１５０】
ここで、第１六角ナット２６１および第１ボビン蓋２６３は、上記他の実施形態（Ｂ）と同様のものとすることができる。
【０１５１】
図４８に示すように、第１六角ナット２６１が第１ボビン蓋２６３に対してねじ込まれた場合に、第１六角ナット２６１の上方に向かうにつれて内側の内径が小さく形成されている形状と、第１ボビン蓋２６３の配管用筒状部２６３ｃの上方に向かうにつれて外径が小さく形成されている形状と、が採用されているために、配管用筒上部２６３ｃの内側が径方向内側に向けて弾性変形し、アキューム管Ｆの外周の接触面Ｆｓと押し合って接している状態にして固定させる。この固定状態においても、図４８の断面図に示すように、排水溝Ｆｖの部分は第１ボビン蓋２６３の配管用筒状部２６３ｃの内側の面とは接触しておらず、アキューム管Ｆの外表面との間に隙間Ｆｖｓが形成されている。
【０１５２】
このように、アキューム管２００Ｆに電磁誘導加熱ユニット６が固定されたとしても、排水溝Ｆｖの部分の隙間Ｆｖｓを通じた排水を行うことができる。このようにして排水固定状態となることもできる。
【０１５３】
（Ｆ）
図４９に示すように、例えば、排水固定構造は、第１六角ナット５６１、スペーサ５６２および第１ボビン蓋５６３が作用することによって実現されていてもよい。
【０１５４】
ここで、第１六角ナット５６１は、上方に向かうにつれて内側の内径が小さくなるように形成されている。第１ボビン蓋５６３の配管用筒状部５６３ｃについても、上方に向かうにつれて外径が小さくなるように形成されている。また、スペーサ５６２は、アキューム管Ｆよりも径が小さい棒状部材である。図５０に示すように、アキューム管Ｆの外表面と第１六角ナット５６１の内側との間に位置して固定を行う。すなわち、図５１の断面図に示すように、第１六角ナット５６１が第１ボビン蓋５６３に対してねじ込まれた場合に、第１六角ナット５６１の上方に向かうにつれて内側の内径が小さく形成されている形状と、第１ボビン蓋５６３の配管用筒状部５６３ｃの上方に向かうにつれて外径が小さく形成されている形状と、が採用されているために、配管用筒上部５６３ｃの内側のうちスペーサ５６２と接触している部分近傍が径方向外側に向けて弾性変形し、配管用筒上部５６３ｃの内側のうちスペーサ５６２と接触している部分近傍以外の部分が径方向内側に向けて弾性変形することで、スペーサ５６２がアキューム管Ｆの外周面に対して押し付けられた状態で固定させることができる。この固定状態においても、図５２の断面図に示すように、スペーサ５６２の周囲には、アキューム管Ｆの外表面と第１ボビン蓋５６３の配管用筒状部５６３ｃの内側の面との間に隙間５６２ｓが形成されている。上述のように電磁誘導加熱ユニット６が固定された状態であっても、結露水や解凍水は、この隙間を通過して排水される。このようにして排水固定状態となることができる。
【０１５５】
（Ｇ）
図５３に示すように、例えば、排水固定構造は、第１六角ナット６６１、螺旋部材６６２および第１ボビン蓋６６３が作用することによって実現されていてもよい。
【０１５６】
ここで、第１六角ナット６６１は、上方に向かうにつれて内側の内径が小さくなるように形成されている。第１ボビン蓋６６３の配管用筒状部６６３ｃについても、上方に向かうにつれて外径が小さくなるように形成されている。また、螺旋部材６６２は、上述したＣ型円筒１６２における欠落部分が螺旋状に繋がっている部材として捕らえることができる。したがって、Ｃ型円筒１６２を採用した場合と近似した排水固定状態をとることができる。すなわち、図５４に示すように、螺旋部材６６２は、アキューム管Ｆの外表面と第１六角ナット５６１および第１ボビン蓋６６３の配管用筒上部６６３ｃの内側との間に位置している。そして、第１六角ナット６６１が第１ボビン蓋６６３に対してねじ込まれた場合に、第１六角ナット６６１の上方に向かうにつれて内側の内径が小さく形成されている形状と、第１ボビン蓋６６３の配管用筒状部６６３ｃの上方に向かうにつれて外径が小さく形成されている形状と、が採用されているために、螺旋部材６６２と接触している部分近傍の配管用筒上部６６３ｃの内側が径方向内側に押された状態で径方向外側に向けて弾性変形し、螺旋部材６６２がアキューム管Ｆの外周面に押し付けられている状態で固定される。上述のように電磁誘導加熱ユニット６が固定された状態であっても、螺旋部材６６２の螺旋状のスペース６６２ｓを介して、結露水や解凍水を排水することができる。このようにして排水固定状態となることができる。
【０１５７】
（Ｈ）
図５５および図５６に示すように、例えば、排水固定構造は、第１六角ナット７６１および第１ボビン蓋７６３が作用することによって実現されていてもよい。
【０１５８】
ここで、第１六角ナット７６１は、上方に向かうにつれて内側の内径が小さくなるように形成されている。第１ボビン蓋７６３の配管用筒状部７６３ｃについても、上方に向かうにつれて外径が小さくなるように形成されている。また、第１ボビン蓋７６３は、配管用筒上部７６３ｃの内側上端近傍に、径方向内側に向けて膨出した膨出部７６３ｘを有している。この膨出部７６３ｘは、互いに離れた位置に４カ所設けられている。図５６に示すように、第１六角ナット７６１が第１ボビン蓋７６３に対してねじ込まれた場合に、第１六角ナット７６１の上方に向かうにつれて内側の内径が小さく形成されている形状と、第１ボビン蓋７６３の配管用筒状部７６３ｃの上方に向かうにつれて外径が小さく形成されている形状と、が採用されているために、配管用筒上部７６３ｃの内側が径方向内側に向けて弾性変形することで、４カ所の膨出部７６３ｘが、アキューム管Ｆの外側に押しつけられて固定される。この固定状態においても、図５７に示すように、配管用筒上部７６３ｃの内側上端のうち、膨出部７６３ｘが設けられていない部分と、アキューム管Ｆの外表面との間に、隙間７６３ｓが形成されている。上述のように電磁誘導加熱ユニット６が固定された状態であっても、結露水や解凍水は、この隙間を通過して排水される。このようにして排水固定状態となることができる。
【０１５９】
（Ｉ）
上記実施形態では、冷媒回路１０のうち、アキューム管Ｆに対して電磁誘導加熱ユニット６が取り付けられる場合について説明した。
【０１６０】
しかし、本発明はこれに限られるものではない。
【０１６１】
例えば、アキューム管Ｆ以外の他の冷媒配管に設けられていてもよい。この場合には、電磁誘導加熱ユニット６を設ける冷媒配管部分にＳＵＳ管Ｆ２等の磁性体を設ける。
【０１６２】
（Ｊ）
上記実施形態では、アキューム管Ｆは、銅管Ｆ１とＳＵＳ管Ｆ２との二重管として構成されている場合を挙げて説明した。
【０１６３】
しかし、本発明はこれに限られるものではない。
【０１６４】
図５８に示すように、例えば、被加熱部材Ｆ２ａと、２つのストッパーＦ１ａと、がアキューム管Ｆや加熱対象となる冷媒配管の内部に配置されていてもよい。ここで、被加熱部材Ｆ２ａは、磁性体材料を含有しており、上記実施形態における電磁誘導加熱によって発熱を生じる部材である。ストッパーＦ１ａは、銅管Ｆ１の内側二カ所において、冷媒の通過を常時許容するが、被加熱部材Ｆ２ａの通過は許容しない。これにより、被加熱部材Ｆ２ａは、冷媒が流れても移動しない。このため、アキューム管Ｆ等の目的の加熱位置を加熱させることができる。さらに、発熱する被加熱部材Ｆ２ａと冷媒とが直接接触するため、熱伝達効率を向上させることができる。
【０１６５】
（Ｋ）
上記他の実施形態（Ｉ）で説明した被加熱部材Ｆ２ａは、ストッパーＦ１ａを用いることなく配管に対して位置が定まるようにしてもよい。
【０１６６】
図５９に示すように、例えば、銅管Ｆ１に二カ所で曲げ部分ＦＷを設け、当該二カ所の曲げ部分ＦＷの間の銅管Ｆ１の内側に被加熱部材Ｆ２ａを配置させてもよい。このようにしても、冷媒を通過させつつ、被加熱部材Ｆ２ａの移動を抑制させることができる。
【０１６７】
（Ｌ）
上記実施形態では、コイル６８がアキューム管Ｆに対して螺旋状に巻き付けられている場合について説明した。
【０１６８】
しかし、本発明はこれに限られるものではない。
【０１６９】
例えば、図６０に示すように、ボビン本体１６５に巻き付けられたコイル１６８が、アキューム管Ｆに巻き付くことなく、アキューム管Ｆの周囲に配置されていてもよい。ここでは、ボビン本体１６５は、軸方向がアキューム管Ｆの軸方向に対して略垂直となるように配置されている。また、ボビン本体１６５およびコイル１６８は、アキューム管Ｆを挟むように２つに別れて配置されている。
【０１７０】
この場合には、例えば、図６１に示すように、アキューム管Ｆを貫通させている第１ボビン蓋１６３および第２ボビン蓋１６４が、ボビン本体１６５に対して勘合した状態で配置されていてもよい。
【０１７１】
さらに、図６２に示すように、第１ボビン蓋１６３および第２ボビン蓋１６４が、第１フェライトケース１７１および第２フェライトケース１７２によって挟み込まれて固定されていてもよい。図６２では、２つのフェライトケースがアキューム管Ｆを挟み込むように配置されている場合を例にあげたが、上記実施形態と同様に、４方向に配置されていてもよい。また、上記実施形態とどうように、フェライトを収容させていてもよい。
【産業上の利用可能性】
【０１７２】
本発明を利用すれば、冷媒配管に対して位置を定める場合であっても水の滞留が生じにくいため、電磁誘導を用いて冷媒を加熱させる電磁誘導加熱ユニットおよび空気調和装置において特に有用である。
【図面の簡単な説明】
【０１７３】
【図１】本発明の一実施形態にかかる空気調和装置の冷媒回路図である。
【図２】室外機の正面側を含む外観斜視図である。
【図３】室外機の内部配置構成斜視図である。
【図４】室外機の底板と室外熱交換器との位置関係等を示す斜視図である。
【図５】室外機の背面側を含む外観斜視図である。
【図６】電磁誘導加熱ユニットの外観斜視図である。
【図７】電磁誘導加熱ユニットの断面構成図である。
【図８】電磁誘導加熱ユニットから遮蔽カバーを取り除いた状態を示す外観斜視図である。
【図９】コイルが巻き付けられたボビン本体の外観斜視図である。
【図１０】ボビン本体の正面図である。
【図１１】電磁誘導加熱ユニットへの電力供給を示す概念図である。
【図１２】電磁誘導加熱ユニットの遮蔽カバーが取り外された状態での下面図である。
【図１３】第１ボビン蓋の外側に位置する部分を示す上面図である。
【図１４】第１ボビン蓋の内側に位置する部分を示す下面図である。
【図１５】サーミスタの外観斜視図である。
【図１６】ヒューズの外観斜視図である。
【図１７】遮蔽カバーが無い状態で生じる磁束の様子を示す図である。
【図１８】遮蔽カバーを設けた状態で生じる磁束の様子を示す図である。
【図１９】アキューム管に対して電磁誘導加熱ユニットを固定するための主要素の分解斜視図である。
【図２０】第１六角ナットの上面図である。
【図２１】第１六角ナットの断面図である。
【図２２】Ｃ型リングの上面図である。
【図２３】Ｃ型リングの側面図である。
【図２４】Ｃ型リングの断面図である。
【図２５】第１ボビン蓋の断面図である。
【図２６】アキューム管に対して第１六角ナット、Ｃ型リング、第１ボビン蓋およびボビン本体が固定されている様子を示す概略断面図である。
【図２７】第１六角ナット、Ｃ型リングおよび第１ボビン蓋によってアキューム管が締め付けられる直前の状態を示す説明断面図である。
【図２８】第１六角ナット、Ｃ型リングおよび第１ボビン蓋によってアキューム管が締め付けられた状態を示す説明断面図である。
【図２９】第１六角ナットに導水傾斜面が設けられていない場合において、水の溜まる様子を説明する説明断面図である。
【図３０】Ｃ型リングが採用されていない場合における水による影響を説明する説明断面図である。
【図３１】導水傾斜面の機能を示す説明断面図である。
【図３２】Ｃ型リングの空きスペースを通じて水が排水される様子を示す説明断面図である。
【図３３】他の実施形態（Ａ）の固定構造を示す外観斜視図である。
【図３４】他の実施形態（Ａ）の固定構造を示す断面図である。
【図３５】他の実施形態（Ａ）の排水構造を示す断面図である。
【図３６】他の実施形態（Ｂ）の固定構造を示す外観斜視図である。
【図３７】他の実施形態（Ｂ）の固定構造を示す断面図である。
【図３８】他の実施形態（Ｂ）の排水構造を示す断面図である。
【図３９】他の実施形態（Ｃ）の固定構造を示す外観斜視図である。
【図４０】他の実施形態（Ｃ）の固定構造を示す断面図である。
【図４１】他の実施形態（Ｃ）の排水構造を示す断面図である。
【図４２】他の実施形態（Ｄ）の固定構造を示す外観斜視図である。
【図４３】他の実施形態（Ｄ）の固定構造の部分状態を示す外観斜視図である。
【図４４】他の実施形態（Ｄ）の固定構造を示す断面図である。
【図４５】他の実施形態（Ｄ）の排水構造を示す断面図である。
【図４６】他の実施形態（Ｅ）の固定構造に用いられるアキューム管の被加熱部分示す外観斜視図である。
【図４７】他の実施形態（Ｅ）の固定構造を示す断面図である。
【図４８】他の実施形態（Ｅ）の排水構造を示す断面図である。
【図４９】他の実施形態（Ｆ）の固定構造を示す外観斜視図である。
【図５０】他の実施形態（Ｆ）の固定構造に採用される第１六角ナットを示す外観斜視図である。
【図５１】他の実施形態（Ｆ）の固定構造を示す断面図である。
【図５２】他の実施形態（Ｆ）の排水構造を示す断面図である。
【図５３】他の実施形態（Ｇ）の固定構造を示す外観斜視図である。
【図５４】他の実施形態（Ｇ）の固定構造を示す断面図である。
【図５５】他の実施形態（Ｈ）の固定構造の部分状態を示す外観斜視図である。
【図５６】他の実施形態（Ｈ）の固定構造を示す断面図である。
【図５７】他の実施形態（Ｈ）の排水構造を示す断面図である。
【図５８】他の実施形態（Ｊ）の冷媒配管の説明図である。
【図５９】他の実施形態（Ｋ）の冷媒配管の説明図である。
【図６０】他の実施形態（Ｌ）のコイルと冷媒配管との配置例を示す図である。
【図６１】他の実施形態（Ｌ）のボビン蓋の配置例を示す図である。
【図６２】他の実施形態（Ｌ）のフェライトケースの配置例を示す図である。
【符号の説明】
【０１７４】
１  空気調和装置
６  電磁誘導加熱ユニット
１０  冷媒回路
２１    圧縮機
２２    四路切換弁
２３    室外熱交換器
２４    電動膨張弁
２５    アキュームレータ
４１    室内熱交換器
６１    第１六角ナット（位置決め部、第１固定部材）
６１ａ  導水傾斜部（傾斜した形状）
６２    Ｃ型リング（位置決め部、第３部材、冷媒配管側に力が作用している部分）
６２ｓ  欠落部分のスペース（連続空間）
６３    第１ボビン蓋（位置決め部、第２固定部材）
６３ｂ  放熱開口（開口）
６４    第２ボビン蓋
６５    ボビン本体（中間部）
６６    第２六角ナット
６８    コイル
７１    第１フェライトケース
７２    第２フェライトケース
７３    第３フェライトケース
７４    第４フェライトケース
７５    遮蔽カバー
９８    第１フェライト
９９    第２フェライト
１６１    第１六角ナット（位置決め部）
１６２    Ｃ型リング（冷媒配管側に力が作用している部分、位置決め部）
１６３    第１ボビン蓋（位置決め部）
１６２ｓ  欠落部分のスペース（連続空間）
２００Ｆ  アキューム管（冷媒配管）
Ｆｓ    接触面（位置決め部からの力の作用を受ける部分）
Ｆｖｓ    隙間（連続空間）
２６１    第１六角ナット（第１部材、位置決め部）
２６２ｓ  隙間（連続空間）
２６３    第１ボビン蓋（第２部材、位置決め部）
３６１    第１六角ナット（位置決め部）
３６２    円筒弾性部材（位置決め部）
３６２ｓ  隙間（連続空間）
３６３    第１ボビン蓋（位置決め部）
４６１    第１六角ナット（位置決め部、位置決め部）
４６２    Ｃ型リング（位置決め部、冷媒配管側に力が作用している部分、位置決め部）
４６２ｓ    隙間（連続空間）
４６３    第１ボビン蓋（位置決め部、位置決め部）
４６９    円筒弾性部材（介在部、位置決め部）
５６１    第１六角ナット（位置決め部）
５６２    Ｃ型リング（冷媒配管側に力が作用している部分、位置決め部）
５６２ｓ  隙間（連続空間）
５６３    第１ボビン蓋（位置決め部）
６６１    第１六角ナット（位置決め部）
６６２    螺旋部材（冷媒配管側に力が作用している部分、位置決め部）
６６２ｓ  螺旋状のスペース（連続空間）
６６３    第１ボビン蓋（位置決め部）
７６１    第１六角ナット（位置決め部）
７６３    第１ボビン蓋（位置決め部）
７６３ｘ  膨出部（介在部、冷媒配管側に力が作用している部分）
７６３ｓ  隙間（連続空間）
Ａ    吐出管、冷媒配管
Ｂ    室内側ガス管、冷媒配管
Ｃ    室内側液管
Ｄ    室外側液管
Ｅ    室外側ガス管、冷媒配管
Ｆ    アキューム管、冷媒配管
Ｇ    吸入管、冷媒配管
Ｈ    ホットガスバイパス回路
Ｊ    過冷却回路
【図１】
2010071536.tif 000003
【図２】
2010071536.tif 000004
【図３】
2010071536.tif 000005
【図４】
2010071536.tif 000006
【図５】
2010071536.tif 000007
【図６】
2010071536.tif 000008
【図７】
2010071536.tif 000009
【図８】
2010071536.tif 000010
【図９】
2010071536.tif 000011
【図１０】
2010071536.tif 000012
【図１１】
2010071536.tif 000013
【図１２】
2010071536.tif 000014
【図１３】
2010071536.tif 000015
【図１４】
2010071536.tif 000016
【図１５】
2010071536.tif 000017
【図１６】
2010071536.tif 000018
【図１７】
2010071536.tif 000019
【図１８】
2010071536.tif 000020
【図１９】
2010071536.tif 000021
【図２０】
2010071536.tif 000022
【図２１】
2010071536.tif 000023
【図２２】
2010071536.tif 000024
【図２３】
2010071536.tif 000025
【図２４】
2010071536.tif 000026
【図２５】
2010071536.tif 000027
【図２６】
2010071536.tif 000028
【図２７】
2010071536.tif 000029
【図２８】
2010071536.tif 000030
【図２９】
2010071536.tif 000031
【図３０】
2010071536.tif 000032
【図３１】
2010071536.tif 000033
【図３２】
2010071536.tif 000034
【図３３】
2010071536.tif 000035
【図３４】
2010071536.tif 000036
【図３５】
2010071536.tif 000037
【図３６】
2010071536.tif 000038
【図３７】
2010071536.tif 000039
【図３８】
2010071536.tif 000040
【図３９】
2010071536.tif 000041
【図４０】
2010071536.tif 000042
【図４１】
2010071536.tif 000043
【図４２】
2010071536.tif 000044
【図４３】
2010071536.tif 000045
【図４４】
2010071536.tif 000046
【図４５】
2010071536.tif 000047
【図４６】
2010071536.tif 000048
【図４７】
2010071536.tif 000049
【図４８】
2010071536.tif 000050
【図４９】
2010071536.tif 000051
【図５０】
2010071536.tif 000052
【図５１】
2010071536.tif 000053
【図５２】
2010071536.tif 000054
【図５３】
2010071536.tif 000055
【図５４】
2010071536.tif 000056
【図５５】
2010071536.tif 000057
【図５６】
2010071536.tif 000058
【図５７】
2010071536.tif 000059
【図５８】
2010071536.tif 000060
【図５９】
2010071536.tif 000061
【図６０】
2010071536.tif 000062
【図６１】
2010071536.tif 000063
【図６２】
2010071536.tif 000064